(57)【特許請求の範囲】
【請求項１】
ディスクの所定トラックの１回転に入っている同期信号の数を一定の幅を持たせて、予め設定された複数種類の線速度に対応させて予め記憶している線速度記憶部と、
ピックアップによってディスクの所定トラックの１回転に入っている信号を検出するとともに、その検出信号の中に含まれる前記同期信号の数を検出する同期信号数検出部と、
この同期信号数検出部によって検出された同期信号数と前記線速度記憶部に記憶された各線速度に対応した一定幅の同期信号数とを比較して、検出された同期信号数を含む一定幅の同期信号数に対応した１種類の線速度を抽出する線速度抽出部とを備えたことを特徴とする線速度検出装置。
【請求項２】
前記所定トラックがディスクの最内周のトラック、又は最外周のトラックである請求項１記載の線速度検出装置。
【請求項３】
前記同期信号数検出部は、ディスクの所定トラックの複数回転に入っている同期信号の数を検出し、その検出数を回転数で除した値を所定トラックの１回転に入っている同期信号数として検出することを特徴とする請求項１又は２記載の線速度検出装置。
【請求項４】
ディスクの所定トラックの複数回転に入っている同期信号の数を一定の幅を持たせて、予め設定された複数種類の線速度に対応させて予め記憶している線速度記憶部と、
ピックアップによってディスクの所定トラックの複数回転に入っている信号を検出するとともに、その検出信号の中に含まれる前記同期信号の数を検出する同期信号数検出部と、
この同期信号数検出部によって検出された同期信号数と前記線速度記憶部に記憶された各線速度に対応した一定幅の同期信号数とを比較して、検出された同期信号数を含む一定幅の同期信号数に対応した１種類の線速度を抽出する線速度抽出部とを備えたことを特徴とする線速度検出装置。
【発明の詳細な説明】
【０００１】
【発明の属する技術分野】
本発明は、コンパクトディスク等を再生するディスク装置に係り、より詳細には、ディスクに記録されている信号の線速度を求める線速度検出装置に関する。
【０００２】
【従来の技術】
ディスク装置では、装填されたディスクを線速度を一定にコントロールしながら再生するようになっている。線速度は、その規格上１．２ｍ／ｓから１．４ｍ／ｓまでの範囲が許容されており、ディスクによって異なる設定となっている。
そのため、例えばディスクに記録された情報（例えば、曲）の中から目的とする曲をサーチする場合、ピックアップを素早くかつ正確にサーチ先まで移動させるためには、この線速度を正確に求める必要がある。
【０００３】
線速度を求める従来の方法としては、例えば特開平９−２１９０６１号公報に記載されているように、ディスク上の演奏時刻Ｔ0 の位置からピックアップをトラックの１回転分後退させ、この後退位置から演奏時刻Ｔ0 までピックアップが戻る時間を計測し、その計測時間からディスクに記録されている信号の線速度を演算によって求めるようになっている。
【０００４】
【発明が解決しようとする課題】
しかしながら、上記した従来の線速度を求める方法では、ディスクの１回転の時間を計測していることから、倍速値を固定しておく必要がある。
すなわち、最近のディスク装置は、再生速度が一定の倍速に固定されているわけではなく、例えば３倍速から１０倍速までの間の任意の速度で再生できるようになっている。そのため、再生時の速度によってディスク１回転の時間が変わるため、倍速値を固定しておく必要がある。
【０００５】
このように、従来の線速度を求める方法では、まず倍速値を固定し、その後ディスクを１回転させてその時間を計測し、その計測結果から線速度を演算するといった手順を実行する必要があるため、手間のかかる方法となっていた。また、再生速度が変化している場合には、線速度を求めることができないといった問題があった。
本発明はこのような問題点を解決すべく創案されたもので、その目的は、再生速度が変化してもディスクの線速度を正確に求めることのできる線速度検出装置を提供することにある。
【０００６】
【課題を解決するための手段】
上記課題を解決するため、本発明の請求項１記載の線速度検出装置は、ディスクの所定トラックの１回転に入っている同期信号の数を一定の幅を持たせて、予め設定された複数種類の線速度に対応させて予め記憶している線速度記憶部と、ピックアップによってディスクの所定トラックの１回転に入っている信号を検出するとともに、その検出信号の中に含まれる前記同期信号の数を検出する同期信号数検出部と、この同期信号数検出部によって検出された同期信号数と前記線速度記憶部に記憶された各線速度に対応した一定幅の同期信号数とを比較して、検出された同期信号数を含む一定幅の同期信号数に対応した１種類の線速度を抽出する線速度抽出部とを備えた構成とする。
【０００７】
また、本発明の請求項２記載の線速度検出装置は、請求項１記載のものにおいて、前記所定トラックをディスクの最内周のトラック、又は最外周のトラックとしたものである。
また、本発明の請求項３記載の線速度検出装置は、請求項１記載のものにおいて、前記同期信号数検出部は、ディスクの所定トラックの複数回転に入っている同期信号の数を検出し、その検出数を回転数で除した値を所定トラックの１回転に入っている同期信号数として検出するものである。
【０００８】
また、本発明の請求項４記載の線速度検出装置は、ディスクの所定トラックの複数回転に入っている同期信号の数を一定の幅を持たせて、予め設定された複数種類の線速度に対応させて予め記憶している線速度記憶部と、ピックアップによってディスクの所定トラックの複数回転に入っている信号を検出するとともに、その検出信号の中に含まれる前記同期信号の数を検出する同期信号数検出部と、この同期信号数検出部によって検出された同期信号数と前記線速度記憶部に記憶された各線速度に対応した一定幅の同期信号数とを比較して、検出された同期信号数を含む一定幅の同期信号数に対応した１種類の線速度を抽出する線速度抽出部とを備えた構成とする。
【０００９】
【発明の実施の形態】
以下、本発明の実施の形態について図面を参照して説明する。
図１は、本発明の線速度検出装置を備えた光ディスク装置の電気的構成を示すブロック図である。
ディスクモータ２によって回転駆動されるディスク１から情報を検出するピックアップ３の出力は、ＲＦアンプ４を介してＤＳＰ（ディジタル・シグナル・プロセッサ）５に導かれている。
【００１０】
ＤＳＰ５は、マイコン６の制御の下、ピックアップ３によってディスク１から検出された信号に基づいて、フォーカシングサーボやトラッキングサーボといった光ディスク装置の制御全般を行うブロックであり、ピックアップ３に対してサーボ制御信号を出力するようになっている。また、ＤＳＰ５は、ピックアップ３によって検出された信号の中から同期信号（フレーム同期信号）を検出し、その検出信号を同期信号数検出部７に出力する。
【００１１】
同期信号数検出部７には、ディスクモータ２に取り付けられた図示しない周波数発生器から出力されるＦＧパルスが入力されており、このＦＧパルスに基づいてディスク１の１回転に入っている同期信号数を検出する。すなわち、ＦＧパルスは、ディスク１の１回転に１回出力されるので、同期信号数検出部７では、このＦＧパルスが入力されてから次にＦＧパルスが入力されるまでの間に、ＤＳＰ５から入力される検出信号の数（すなわち、同期信号の数）を計数する。
この同期信号数検出部７の出力（計数値である同期信号数）は、線速度抽出部８に導かれている。また、線速度抽出部８には、線速度記憶部９の出力が導かれている。
【００１２】
線速度記憶部９には、ディスク１の所定トラック（本実施形態ではディスク１の最内周のトラック）の１回転に入っている同期信号の数を、それぞれの線速度に対応させて予め記憶している。
ディスク１の最内周のトラックの１回転に入っている同期信号の数は、例えば線速度が１．２ｍ／ｓのディスクで９．８、線速度が１．３ｍ／ｓのディスクで９．０、線速度が１．４ｍ／ｓのディスクで８．４であるので、線速度記憶部９にはこれらのデータが記憶されている。ただし、これは一例であって、線速度としては、１．２ｍ／ｓ、１．２５ｍ／ｓ、１．３ｍ／ｓ、１．３５ｍ／ｓ、１．４ｍ／ｓの５種類あるので、実際にはこの５種類の線速度に対応する同期信号数のデータを線速度記憶部９に予め記憶させておく。
【００１３】
線速度抽出部８は、同期信号数検出部７によって検出（計数）された同期信号数に基づき、線速度記憶部９から同じ同期信号数に対応した線速度を抽出し、その抽出した線速度データをマイコン６に入力する。マイコン６では、この線速度データに基づいて、例えば高速サーチ等の制御を行う。
【００１４】
次に、上記構成の線速度検出装置を備えた光ディスク装置における線速度の検出動作について、図２に示すフローチャートを参照して説明する。
線速度の検出モードになると、マイコン６は、現在の再生位置からディスク１の最内周の位置までピックアップ３をサーチ（移動）させる（ステップＳ１，Ｓ２）。そして、ピックアップ３がディスク１の最内周まで移動すると、ディスク１に記録されている同期信号数の計数を開始する（ステップＳ３）。
【００１５】
すなわち、ディスクモータ２によって回転駆動されるディスク１から、ピックアップ３によって信号を検出し、その検出信号（ＲＦ信号）をＤＳＰ５に入力する。ＤＳＰ５は、このＲＦ信号の中に含まれる同期信号を検出し、その検出信号を同期信号数検出部７に出力する。一方、ディスクモータ２が回転を開始すると、ディスクモータ２に取り付けられた周波数発生器から出力されるＦＧパルスが同期信号数検出部７に入力される。
【００１６】
同期信号数検出部７は、最初のＦＧパルスが入力されると、ＤＳＰ５から入力される同期信号の数の計数を開始し、次のＦＧパルスが入力されると（ステップＳ４）、ＤＳＰ５から入力される同期信号の数の計数を終了する（ステップＳ５）。すなわち、同期信号数検出部７は、最初にＦＧパルスが入力されてから次にＦＧパルスが入力されるまでの間（すなち、ディスク１が１回転する間）に、ＤＳＰ５から入力される同期信号の数を計数し、その計数値（同期信号の数）ｘを線速度抽出部８に出力する。
【００１７】
線速度抽出部８は、同期信号数検出部７によって計数された同期信号数ｘに基づいて、線速度記憶部９からこの同期信号数ｘに対応した線速度データを抽出する。例えば、同期信号数検出部７によって計数された同期信号数ｘが９．４≦ｘである場合には、ディスク１の線速度データとして１．２ｍ／ｓのデータを抽出し（ステップＳ６，Ｓ７）、計数された同期信号数ｘが８．７≦ｘ＜９．４である場合には、ディスク１の線速度データとして１．３ｍ／ｓのデータを抽出し（ステップＳ８，Ｓ９）、それ以外の場合（すなわち、計数された同期信号数ｘがｘ＜８．７である場合）には、ディスク１の線速度データとして１．４ｍ／ｓのデータを抽出する（ステップＳ１０）。このように、同期信号数検出部７によって計数された同期信号数ｘを、線速度記憶部９に記憶されている各データ（８．４、９．０、９．８）に一定の幅を持たせて対比しているのは、同期信号数検出部７による計数誤差等を考慮したからである。
【００１８】
線速度抽出部８は、この抽出した線速度データをマイコン６に入力する。マイコン６は、この線速度データに基づいて、例えば高速サーチ等の制御を行うことになる。次に、上記構成の線速度検出装置を備えた光ディスク装置における線速度の他の検出動作について、図３に示すフローチャートを参照して説明する。この検出動作では、線速度を検出するためのディスク１の回転数を１０回転としている。そのため、線速度記憶部９に記憶される線速度データも、これに対応した同期信号数のデータとなっている。つまり、ディスク１の最内周側のトラックの１０回転に入っている同期信号の数は、線速度が１．２ｍ／ｓのディスクで９８、線速度が１．３ｍ／ｓのディスクで９０、線速度が１．４ｍ／ｓのディスクで８４であるので、線速度記憶部９にはこれらのデータが記憶されている。
【００１９】
すなわち、線速度の検出モードになると、マイコン６は、現在の再生位置からディスク１の最内周の位置までピックアップ３をサーチ（移動）させる（ステップＳ１１，Ｓ１２）。そして、ピックアップ３がディスク１の最内周まで移動すると、ディスク１に記録されている同期信号数の計数を開始する（ステップＳ１３）。
【００２０】
すなわち、ディスクモータ２によって回転駆動されるディスク１から、ピックアップ３によって信号を検出し、その検出信号（ＲＦ信号）をＤＳＰ５に入力する。ＤＳＰ５は、このＲＦ信号の中に含まれる同期信号を検出し、その検出信号を同期信号数検出部７に出力する。一方、ディスクモータ２が回転を開始すると、ディスクモータ２に取り付けられた周波数発生器から出力されるＦＧパルスが同期信号数検出部７に入力される。
【００２１】
同期信号数検出部７は、最初のＦＧパルスが入力されると、ＤＳＰ５から入力される同期信号の数の計数を開始し、最初のＦＧパルスから数えて１０個目のＦＧパルスが入力されると（ステップＳ１４）、ＤＳＰ５から入力される同期信号の数の計数を終了する（ステップＳ１５）。すなわち、同期信号数検出部７は、最初にＦＧパルスが入力されてから１０個目のＦＧパルスが入力されるまでの間（すなち、ディスク１が１０回転する間）に、ＤＳＰ５から入力される同期信号の数を計数し、その計数値（同期信号の数）ｙを線速度抽出部８に出力する。なお、ＦＧパルスの計数も同期信号数検出部７で行っている。
【００２２】
線速度抽出部８は、同期信号数検出部７によって計数された同期信号数ｙに基づいて、線速度記憶部９からこの同期信号数ｙに対応した線速度データを抽出する。すなち、同期信号数検出部７によって計数された同期信号数ｙが９４≦ｙである場合には、ディスク１の線速度データとして１．２ｍ／ｓのデータを抽出し（ステップＳ１６，Ｓ１７）、計数された同期信号数ｙが８７≦ｙ＜９４である場合には、ディスク１の線速度データとして１．３ｍ／ｓのデータを抽出し（ステップＳ１８，Ｓ１９）、それ以外の場合（すなわち、計数された同期信号数ｙがｙ＜８７である場合）には、ディスク１の線速度データとして１．４ｍ／ｓのデータを抽出する（ステップＳ２０）。このように、同期信号数検出部７によって計数された同期信号数ｙを、線速度記憶部９に記憶されている各データ（８４、９０、９８）に一定の幅を持たせて対比しているのは、同期信号数検出部７による計数誤差等を考慮したからである。
【００２３】
線速度抽出部８は、この抽出した線速度データをマイコン６に入力する。マイコン６は、この線速度データに基づいて、例えば高速サーチ等の制御を行うことになる。なお、上記の検出動作の説明（図３に示すフローチャートに従った説明）では、線速度記憶部９に記憶する線速度データをディスク１が１０回転したときの同期信号数としているが、ディスク１が１回転したときの同期信号数であってもよい。この場合には、線速度抽出部８において、同期信号数検出部７で計数された同期信号数を１０で除した値に基づいて、線速度データの検索を行えばよい。
【００２４】
また、上記の検出動作の説明（図３に示すフローチャートに従った説明）では、同期信号数を計数するためのディスク１の回転数を１０回転としているが、これに限定されるものではなく、例えば２回転、３回転等であってもよいし、また２０回転、３０回転等であってもよい。なお、１０回転とした場合には、検出される同期信号数に小数点以下の端数がでないので、線速度抽出部８での処理が行いやすくなるといった利点がある。ただし、小数点以下の端数がでない回転数としては、この他にも５回転、１５回転、２０回転・・・等がある。
【００２５】
また、上記実施形態では、同期信号の数を計数する位置を、ディスク１の最内周側のトラックとして説明しているが、例えば最外周側のトラックの位置であってもよい。この場合、ディスク１の１回転に入っている同期信号数も当然多くなるので、線速度記憶部９に記憶される線速度データも、これに対応したデータとなる。
【００２６】
【発明の効果】
本発明の線速度検出装置は、ディスクの所定トラックの１又は複数回転に入っている同期信号の数を一定の幅を持たせて、予め設定された複数種類の線速度に対応させて予め記憶している線速度記憶部と、ピックアップによってディスクの所定トラックの１又は複数回転に入っている信号を検出するとともに、その検出信号の中に含まれる同期信号の数を検出する同期信号数検出部と、この同期信号数検出部によって検出された同期信号数と前記線速度記憶部に記憶された各線速度に対応した一定幅の同期信号数とを比較して、検出された同期信号数を含む一定幅の同期信号数に対応した１種類の線速度を抽出する線速度抽出部とを備えた構成としたので、再生速度が例えば１倍から２倍の間で変化しても、ディスクの線速度を正確に求めることができる。
【図面の簡単な説明】
【図１】本発明の線速度検出装置を備えた光ディスク装置の電気的構成を示すブロック図である。
【図２】本発明の線速度検出装置を備えた光ディスク装置における線速度の検出動作を説明するためのフローチャートである。
【図３】本発明の線速度検出装置を備えた光ディスク装置における線速度の他の検出動作を説明するためのフローチャートである。
【符号の説明】
１  ディスク
３  ピックアップ
５  ＤＳＰ
７  同期信号数検出部
８  線速度抽出部
９  線速度記憶部
【図１】
0003941081.tif 000002
【図２】
0003941081.tif 000003
【図３】
0003941081.tif 000004